(57)【要約】      （修正有）【課題】トラック搬送して現地に設置すれば、直ちに、照明やエアコンディショナーなどの電気機器が使用できる工事現場用ハウスを提供する。【解決手段】工事現場用ハウスは、直方体状のユニットハウスの屋根上に、パネル状の太陽電池が水平に複数個配置され、または、これに加えて風力発電機２１が設置されている。そして、室内に、太陽電池および風力発電機２１からの電流を受け入れ蓄積する複数のバッテリー１５と、バッテリーからの直流電流を交流電流に変えるインバータと、太陽電池とバッテリー１５間に充放電制御器と、風力発電機２１とバッテリー１５間に充電制御器２３とを設けている。また、室内には室内灯とエアコンディショナーと電気機器接続用のコンセントとを設けている。【選択図】図３
0003176963.tif 000002
【実用新案登録請求の範囲】
【請求項１】
トラック輸送が可能な直方体状のユニットハウスの屋根上に、パネル状の太陽電池を複数個水平に配置し、室内に、太陽電池からの電流を受け入れ蓄積する複数のバッテリーと、バッテリーからの直流電流を交流電流に変えるインバータと、該太陽電池と該バッテリー間に介在する充放電制御器とを設け、かつ、該インバータから配線された室内灯とエアコンディショナーと電気機器接続用のコンセントとを設け、現場に載置するや、直ちに、電気機器が使用できるようにしたことを特徴とする工事現場用ハウス。
【請求項２】
前記ユニットハウスの屋根上に風力発電機を設け、室内に該風力発電機の電流を受け入れ風速を演算して出力するデータ変換装置と風速表示装置とを設けるとともに、該風力発電機の電流を充電制御器を介して前記バッテリーへ蓄積するようにしたことを特徴とする請求項１に記載の工事現場用ハウス。
【考案の詳細な説明】
【技術分野】
【０００１】
本考案は、工場で組立られ工事現場へトラック輸送される工事現場ハウスに関するものである。
【背景技術】
【０００２】
工事現場用ハウスは、一定規格のパネルを現地で組み合わせて建てるプレハブ型のものが一般的であり、所望の適宜な広さのものとすることができるが、現場での組立に時間がかかるという難点がある。
そこで、工事の期間が短い場合は、工場で組み立てたユニットハウスをトラックで搬送し、設置用の敷台を配置した設置場所にクレーン吊りで載置するようにしたものが使用されている。この場合は、現場での組立作業はないが、道路輸送の面から大きさが制限されるので、必要により複数設置している（例えば、特許文献１参照）。
【先行技術文献】
【特許文献】
【０００３】
【特許文献１】特公平０１-３５１３５
【考案の開示】
【考案が解決しようとする課題】
【０００４】
ところで、工事現場では、整地作業、基礎工事、建築、外装など工事の進行につれて、施工会社が入れ替わり、工事現場用ハウスも短期間の使用である場合が少なくない。
特許文献１に記載された工事現場用ハウスは、現場での組立や室内の配線などは必要としないが、商用電源を引き込むための工事が必要とされる。また、商用電源を引き込むことが困難な場合は、エンジン発電機をハウスの近くに設置しているが、この場合は、騒音のみならず、CO2ガスの排出が問題視される。
【０００５】
そこで、本考案は、電源装置を装備し、トラック搬送して現地に設置すれば、直ちに、室内で使用する照明やエアコンディショナーなどの電気機器が使用できる工事現場用ハウスを提供することを目的とするものである。
【課題を解決するための手段】
【０００６】
本考案の工事現場用ハウスは、上記の目的を達成するため、次の手段を採った。すなわち、トラック輸送が可能な直方体状のユニットハウスの屋根上に、パネル状の太陽電池を複数個水平に配置し、室内に、太陽電池からの電流を受け入れ蓄積する複数のバッテリーと、バッテリーからの直流電流を交流電流に変えるインバータと、該太陽電池と該バッテリー間に介在する充放電制御器とを設け、かつ、該インバータから配線された室内灯とエアコンディショナーと電気機器接続用のコンセントとを設け、現場に載置するや、直ちに、電気機器が使用できるようにしたことを特徴としている。
【０００７】
この工事現場用ハウスは、トラック輸送が可能な大きさに限られる。スペースが不足する場合は、複数設置することで対処する。
電源装置は、騒音や排気ガスの送出のない太陽電池を使用し、できるだけ設置場所が限定されないように、パネル状の太陽電池は屋根上に複数個水平に設置する。なお、より電力を必要とする場合や、２階建てにする場合には外壁面（北側を除く）にも太陽電池を設置すればよい。
【０００８】
バッテリーは、液の補充などメンテナンスの必要のない密閉型のものを使用し、個数は使用する電力量に応じて決めればよい。なお、電力が不足する事態がないとは限らないので、何個かのバッテリーは充電のために持ち出せるように移動可能に設置するとよい。
充放電制御器は、太陽電池からの電力をバッテリーに蓄える際に、より効率よく充電し、かつバッテリーの過充電を防止する働きを持たせたもので各バッテリーへ均等に充電する機能も備えている。
【０００９】
室内には照明とエアコンディショナーと電気機器用のコンセントを付設する。工事現場には、パーソナルコンピュータ、プリンター、ファクシミリなどが一般に使用されるが、小型の電子レンジやポットも使用できるようにするとよい。
特に夜間に電力を使用する場合には、太陽電池のみでは不足しがちになるので、夜も充電可能な風力発電機を併用するのが、望ましい。
【００１０】
また、工事現場では、高所での作業が多く、安全に十分留意しなければならないが、特に、風速については、常時把握できることが望ましい。
風力発電機を併用する場合は、請求項２に記載のように、ユニットハウスの屋根上に風力発電機を設け、室内に該風力発電機の電流を受け入れ風速を演算して出力するデータ変換装置と風速表示装置とを設けるとともに、該風力発電機の電流を充電制御器を介して前記バッテリーへ蓄積するようにするとよい。
【考案の効果】
【００１１】
上記のように、本考案の工事現場用ハウスは、直方体状のユニットハウスの屋根上に、太陽電池を水平に配置し、室内に太陽電池からの電流を受け入れ蓄積するバッテリーと、交流電流に変えるインバータと、充放電制御器とを設け、室内灯とエアコンディショナーと電気機器接続用のコンセントとを装備しているので、バッテリーを充電して設置現場に搬送してクレーン吊りで載置するや、直ちに、照明やエアコンディショナーなどの電気機器が使用できる。しかも、従来のエンジン発電機の使用の場合のように騒音やCO2の問題もない。さらに、地震などの災害時では、この工事現場用ハウスを災害現場へ運んで対策本部などに即座に利用できるという別の効果もある。
【００１２】
また、請求項２に記載のように、ユニットハウスの屋根上に風力発電機を設け、室内に風速を演算して出力するデータ変換装置と風速表示装置とを設けるとともに、充電制御器を介して電力をバッテリーへ蓄積すれば、常に、風速の状態が把握でき、安全な作業の遂行に資する。また、昼夜、晴雨にかかわらずバッテリーに電力が充電されるので、電力に余裕ができる。
【図面の簡単な説明】
【００１３】
【図１】本考案の工事現場用ハウスの実施の形態を示す全体斜視図である。
【図２】同、太陽電池による電源装置の系統図である。
【図３】同、風力発電機を付設した実施の形態を示す電源装置の系統図である。
【考案を実施するための形態】
【００１４】
以下、本考案の実施の形態を、図１および図２に基づいて説明する。
図１は、工事現場用ハウスの全体を示す斜視図で、図２は、電源装置の系統図である。この工事現場用ハウスは、ユニットハウス１０に太陽電池１１、バッテリー１５、インバータ１４、充放電制御器１３からなる電源装置が付設され、室内には、図示してないが、室内灯とエアコンディショナーと電気機器接続用のコンセントが設けられている。
【００１５】
ユニットハウス１０は、角型鋼管および軽量形鋼で骨組し、外壁に金属サイディング（ＪＩＳＡ６７１１）、屋根にカラー鉄板、床にカラー耐水合板を使用して工場で組立てられたものである。ユニットハウス１０の大きさは、ここでは、幅が２.３ｍ、長さが５.５ｍ、高さが２.７ｍの直方体状であり、床面積は１２.５平方メートル、重量は約１.０トンである。
ユニットハウス１０には、ドア１と、２個の窓２（図において背面の壁にも設けられている）が設けられている。なお、３は換気口（換気扇が付設されている）で、４は、バックライト付きの表札である。
【００１６】
電源装置は、図２に示すように、平坦な屋根上に設置したパネル状の太陽電池１１と、各太陽電池の電力を集合する中継ボックス１２と、充放電制御器１３と、インバータ１４と、バッテリー１５とから構成されている。屋根から室内へはケーブル１８によって接続され、充放電制御器１３、インバータ１４、バッテリー１５は、室内のドア１側の壁際の床に設けたケース２０に収納されている。
【００１７】
太陽電池１１は、単結晶シリコン電池で、屋根上に設けた架台６に合計１２枚配置されている。これによって得られる電力は、１時間で最大１.０８ＫＷである。
充放電制御器１３は、太陽電池１１からの電流を各バッテリー１５へ均一に分配して充電するものである。また、バッテリー１５の過充電を防止する機能や、各バッテリー１５からインバータ１４への直流電流を安定供給する制御を行う機能、さらには、太陽電池１１への逆流を阻止する機能も備えている。
【００１８】
インバータ１４は、バッテリー１５からの直流電流を、交流電流に変換して出力するもので、インバータ１４の出力側には、室内灯、エアコンディショナー、換気扇などへスイッチを介して接続され、また、電気機器接続用のコンセントにも接続されている。
【００１９】
バッテリー１５は太陽電池１１からの直流電流を充放電制御器１３を介して受け入れ、蓄積し、インバータ１４へ出力する。ここでは、メンテナンスフリーのシールドバッテリー（密閉型）を１６個使用しており、蓄電容量は約、１５ＫＷｈである。
なお、この工事現場用ハウスの１日の使用電力はここでは約３ＫＷｈを想定している。また、バッテリー１５の一部は、バッテリー１５の蓄電容量が少なくなり緊急に充電を必要とする場合には、外部で充電できるように簡便に取り出せるように設置されている。
【００２０】
このように、構成された工事現場用ハウスは、工場でユニットハウス１０を組み立て、これに電源装置と、室内灯、エアコンディショナー、コンセントを装備し、トラックで、工事現場へ搬送し、敷台５を配置した設置場所に、クレーン吊りで載置するだけでよい。なお、電源装置のバッテリー１５は、予め充電されたものを使用する。
この工事現場用ハウスは、直ちに使用できる電源装置が装備されているので、夜中に運び込むこともでき、また、現場作業に直ちにかかれるので、機動性もよい。
【００２１】
次に、前記の太陽電池の電源装置に風力発電機を追加した請求項２に記載の工事現場用ハウスの実施の形態を図３に基づいて説明する。
風力発電機２１は、図示してないが、ドア１側の屋根に設置されている。そして、室内の前記ケース２０に、充電制御器２３とデータ変換器２４が追加されて内装され、室内の壁面に風速表示パネル２５が設けられている。なお、風力発電機２１からケース２０へはケーブルで接続されている。
【００２２】
風力発電機２１は、３枚羽根の２００〜３００Ｗ/ｈの小型のものを使用しており、風速が１５ｍ/ｓ以上になると安全のためブレーキが作動するようにしている。このブレーキは、ここでは、発電機の出力を短絡して羽根の回転数を低下させるようにしたものを使用している。
【００２３】
データ変換器２４は、風力発電機２１の電圧情報を風速に演算して風速表示パネル２５へ出力するものである。なお、データ変換器２４と風速表示パネル２５の電源は、上記のインバータ１４から得ている。
風速表示パネル２５は、風速が１５ｍ/ｓ以上である場合は、風力発電機２１にブレーキが作動するので、数値表示ではなく、「強風注意」を表示するようにしている。
また、バッテリー１５へ電力を蓄積中のときは、データ変換器２４は中断し、風速表示パネル２５へ信号も送出されない。
【００２４】
充電制御器２３は、風力発電機２１からの電流を各バッテリー１５へ均一に分配して充電するとともにバッテリー１５の過充電を防止するものである。なお、バッテリー１５は、上記太陽電池１１からの電力を蓄積するものと共用している。また、バッテリー１５がフルに充電された状態では、充放電制御器１３と、充電制御器２３の両者共が、過充電を防止するように作動する。
【００２５】
このように構成された工事現場用ハウスでは、風力発電機２１によって、夜間もバッテリー１５へ充電されるので、電力に余裕ができるばかりでなく、ほぼ常時、風速が表示されるので、安全作業への配慮が十分行える。
【００２６】
なお、上記の実施の形態では、工事現場用ハウスの大きさや構造を具体的に寸法を表示して説明したが、考案をより理解しやすいようにするためであって、これに限定するものでないことはいうまでもない。
【符号の説明】
【００２７】
１  ドア
２  窓
３  換気口
４  バックライト付き銘板
５  敷台
６  架台
１０  ユニットハウス
１１  太陽電池
１２  中継ボックス
１３  充放電制御器
１４  インバータ
１５  バッテリー
１８  ケーブル
２０  ケース
２１  風力発電機
２２  スイッチ
２３  充電制御器
２４  データ変換器
２５  風速表示パネル
【図１】
0003176963.tif 000003
【図２】
0003176963.tif 000004
【図３】
0003176963.tif 000005